【事件の表示】
　平成１０年特許願第２２７１２５号「皮膚状態評価方法およびそれに用いる装置」拒絶査定に対する審判事件［平成１２年２月２２日出願公開、特開２０００−５１１５３］について、次のとおり審決する。
【結　論】
　本件審判の請求は、成り立たない。
【理　由】
１．手続の経緯
　本願は、平成１０年８月１１日の出願であって、拒絶理由が通知され、平成１３年５月１日付で手続補正がなされたところ、拒絶査定がなされ、これに対し、同年１０月４日に拒絶査定に対する審判請求がなされ、同年１１月５日付で手続補正がなされたものである。
　
２．平成１３年１１月５日付の手続補正についての補正却下の決定
［補正却下の決定の結論］
　　平成１３年１１月５日付の手続補正を却下する。　
［理由］
２．１　補正後の本願発明
　本件補正後の発明は、本件補正後の特許請求の範囲の請求項１ないし８に記載された事項により特定されるとおりのものであるところ、そのうち請求項１および請求項５に係る発明は、請求項１および請求項５に記載された事項によって特定される次のとおりのものである。
「【請求項１】　化粧品販売員が、顧客の皮膚温度と皮膚表面水分量を測定するとともに皮膚表面拡大画像を観察して皮膚状態を評価する方法であって、上記皮膚温度および皮膚表面水分量を測定してそれ自身に設けられた測定結果表示部にその結果を表示しうる測定具と、皮膚表面撮像用の拡大カメラと、上記拡大カメラで撮像された皮膚表面拡大画像もしくは上記測定具で測定された測定結果を表示するための画像表示手段と、画像情報処理機能および測定情報処理機能が内蔵された本体部とを有し、上記測定具は本体部に対しコードレスになっている皮膚状態評価装置を用い、上記拡大カメラによって、顧客である被測定者の皮膚表面に照明を当てて撮像した皮膚表面拡大画像Ａを、上記画像表示手段における画面の一部分に表示するとともに、上記画面の他の部分に、上記拡大カメラによって上記画像Ａとは異なる条件で撮像した皮膚表面拡大画像Ｂを表示し、両者を比較しながら被測定者の皮膚状態を評価するとともに、上記測定具によって被測定者の皮膚温度と皮膚表面水分量を測定し、測定結果を、測定具自身の測定結果表示部および上記画像表示手段の少なくとも一方に表示して、被測定者の皮膚状態を評価するようにしたことを特徴とする皮膚状態評価方法。」、
「【請求項５】　化粧品販売員が、顧客の皮膚温度と皮膚表面水分量を測定するとともに皮膚表面拡大画像を観察して皮膚状態を評価する際に用いる装置であって、上記皮膚温度および皮膚表面水分量を測定する測定具と、２種類以上の照明条件が選択可能に設定された皮膚表面撮像用の拡大カメラと、上記拡大カメラで撮像された皮膚表面拡大画像もしくは上記測定具で測定された測定結果を表示するための画像表示手段と、画像情報処理機能および測定情報処理機能が内蔵された本体部とを有し、上記測定具が、本体部に対しコードレスで、それ自身に測定結果表示部が設けられているとともに、上記画像表示手段の画面が、２以上の領域に分割可能で、各分割画面に、上記拡大カメラで条件を変えて撮像された２以上の皮膚表面拡大画像が静止画像としてそれぞれ表示できるようになっていることを特徴とする皮膚状態評価装置。」
　
２．２　補正の目的
　上記請求項１の補正は、補正前の請求項１に「化粧品販売員が、顧客の皮膚温度と皮膚表面水分量を測定するとともに皮膚表面拡大画像を観察して皮膚状態を評価する方法であって、」の記載を追加することによって、請求項１の発明の「皮膚状態評価方法」を限定しようとするものであるから、上記補正は特許法第１７条の２第４項第２号の特許請求の範囲の減縮を目的とするものに該当する。
　また、上記請求項５の補正は、補正前の請求項５に「化粧品販売員が、顧客の皮膚温度と皮膚表面水分量を測定するとともに皮膚表面拡大画像を観察して皮膚状態を評価する際に用いる装置であって、」の記載を追加することによって、請求項５の発明の「皮膚状態評価装置」を限定しようとするものであるから、上記補正は特許法第１７条の２第４項第２号の特許請求の範囲の減縮を目的とするものに該当する。
　
２．３　独立特許要件
　そこで、まず最初に、本件補正後の特許請求の範囲に記載された事項によって特定される発明のうち上記請求項５に係る発明（以下、「本願補正発明５」という。）が特許出願の際独立して特許を受けることができるものであるか（特許法第１７条の２第５項において準用する同法第１２６条第４項の規定に適合するか）について以下に検討する。
　
ア．引用刊行物
　原査定の拒絶の理由に引用された刊行物、特開平８−２９９２８８号公報（以下、「刊行物１」という。）、特開平８−３６６３７号公報（以下、「刊行物２」という。）、特開平５−２９６８５１号公報（以下、「刊行物３」という。）、および特開昭６３−２６２１２３号公報（以下、「刊行物４」という。）には、それぞれ以下の事項が記載されている。
(1）刊行物１：
(1a）「本発明は上記問題点に鑑み、顧客の肌状態を測定するとともに、美容アドバイスを容易にすることができる肌状態測定装置を提供するものである。」（第2頁2欄36〜39行）、
(1b）「本発明の肌状態測定装置は、カラーモニターと、環境温度を測定する環境温度センサーと、被験者の皮膚の表面温度を測定する皮膚温度センサーと、被験者の皮膚水分量を測定する皮膚水分量センサーと、被験者の皮脂量を測定する皮脂量センサーと、被験者の肌を所定の倍率で拡大して入力する拡大カメラと、前記環境温度センサーによって測定した環境温度と前記皮膚温度センサーによって測定した皮膚温度とを同時に前記カラーモニターに表示し、前記皮膚水分量センサーによって測定した皮膚水分量を前記カラーモニターに表示し、前記皮脂量センサーによって測定した皮脂量を前記カラーモニターに表示し、前記拡大カメラによって入力した画像を前記カラーモニターに表示する制御手段と、前記制御手段を操作するための操作部とを有するものである。」（第頁右下欄9行〜4頁左上欄2行）、
(1c）「【実施例】以下、本発明の第１の実施例の肌状態測定装置１０について、図１及び図２に基づいて説明する。
　　　【００２２】図１は、肌状態測定装置１０の斜視図であり、図２はそのブロック図を説明している。
　　　【００２３】符号１２は、肌状態測定装置１０の本体であり、内部にＣＰＵ１４、メモリー１６、Ｉ／Ｏポート１８を備えている。また、本体１２の上面には、操作スイッチ部２０が設けられている。
　　　【００２４】符号２２は、本体１２の上面に載置されたカラーモニターである。このカラーモニター２２によって、種々のデータや情報をカラーで表示する。
　　　【００２５】符号２４は、肌拡大カメラであって、ＣＣＤを利用して、人間の肌を拡大して入力することができる。この入力方法には、無反射入力と、反射入力の２種類が備えられており、測定状態に応じて適宜選択して入力することができる。そしてこの肌拡大カメラ２４は、カメラ台２６に載置されている。
　　　【００２６】符号２８は、センサーであって、その内部に皮膚温度センサー３０と水分量測定センサー３２が内蔵されている。このセンサー２８は、センサー２８を人間の肌に押し当てることによって、その人間の皮膚の温度と水分量を測定することができる。
　　　【００２７】符号３４は人間の皮脂量を測定するためのオイリーチェッカーであり、このオイリーチェッカー３４を人間の肌に押し当てることによりその人間の皮脂量を測定することができる。
　　　【００２８】符号３６は、カラーモニター２２に写し出された画像やテキスト情報を印刷するためのプリンターであって、カラープリンターが接続されている。
　　　【００２９】符号３８は、肌状態測定装置１０が置かれている環境温度を測定するための環境温度センサーである。この環境温度センサー３８は、本体１２に内蔵されている。
　　　【００３０】上記構成の肌状態測定装置１０を使用する場合について説明する。
　　　【００３１】１（原文は丸数字）美容アドバイザーは、オイリーチェッカー３４を使用して、被験者の皮脂量を測定し、カラーモニター２２にその測定値を表示する。
　　　【００３２】２（原文は丸数字）美容アドバイザーは、肌拡大カメラ２４を使用して、被験者の肌拡大画像を入力し、カラーモニター２２に表示させる。
　　　【００３３】３（原文は丸数字）美容アドバイザーは、被験者の肌を２個所、肌拡大カメラ２４によって入力し、その測定した２個所の画像をカラーモニター２２に並べて表示させる。
　　　【００３４】４（原文は丸数字）センサー２８を使用して、被験者の皮膚温度及び水分量を測定し、カラーモニター２２にこの値を表示する。この場合に、環境温度センサー３８によって測定した環境温度も同時に表示する。
　　　【００３５】美容アドバイザーは、１〜４（原文は丸数字）の結果に基いて、被験者に対し、適切な美容アドバイスを行うことができる。」（第4頁5欄16行〜6欄17行）、
が図面と共に記載されている。
　これらの記載から刊行物１には、「美容アドバイザーが、顧客の皮膚温度と皮膚水分量を測定するとともに肌拡大画像を観察して肌状態を評価する際に用いる装置であって、上記皮膚温度および皮膚水分量を測定するセンサーと、無反射入力と、反射入力の２種類の入力方法が備えられた人間の肌を拡大して入力することができる肌拡大カメラと、上記拡大カメラで撮像された肌拡大画像もしくは上記センサーで測定された測定結果を表示するためのカラーモニターと、本体とを有し、上記モニターの画面が、２の領域に分割可能で、各分割画面に、上記肌拡大カメラで２個所撮像し、その２個所の肌拡大画像が静止画像としてそれぞれ表示できるようになっていることを特徴とする肌状態測定装置。」が記載されているものと認められる。
　
(2）刊行物２：
(2a）「【０００９】【作用】上記のように構成されたこの発明における検査装置においては、皮膚等の被検査物１の状態を撮像手段２によって撮像し、この撮像手段２によって撮像された画像を必要に応じて記憶手段３に記憶し、このように記憶手段３に記憶された画像や撮像手段２によって撮像された画像を、表示手段４における画面４１を分割させて複数同時に表示させるようになっている。
　　　【００１０】このため、例えば、この検査装置において、被検査物１として皮膚の状態を検査する場合、上記の撮像手段２により、皮膚の表面状態を撮像すると共に、皮膚の内部状態も撮像し、これらの撮像された画像を必要に応じて記憶手段３に記憶させ、表示手段４における画面４１を２分割させて、皮膚の表面状態における画像と皮膚の内部状態における画像とを同時に画面４１上に表示させ、皮膚の表面状態と内部状態とを合わせて比較しながら検査することができるようになる。
　　　【００１１】また、上記の撮像手段２によって正常な皮膚、例えば、脇の下等における皮膚の表面状態や内部状態を撮像すると共に、寒気乾燥や日焼け等によって荒れた肌等における皮膚の表面状態や内部状態を撮像し、このように撮像された各状態の画像を必要に応じて記憶手段３に記憶させるようにし、表示手段４における画面４１を２つに分割させ、正常な皮膚の表面状態の画像と荒れた皮膚の表面状態の画像とを同時に画面４１上に表示させたり、正常な皮膚の内部状態の画像と荒れた皮膚の内部状態の画像とを同時に画面４１上に表示させたり、さらには、表示手段４における画面４１を４つに分割させ、正常な状態にある皮膚の表面及び内部状態の画像と荒れた状態にある皮膚の表面及び内部状態の画像とからなる四つの画像を同時に画面４１上に表示させたりして、正常な皮膚の状態と荒れた皮膚の状態とを比較しながら検査できるようになる。」（第2頁2欄12〜43行）、
(2b）「【００１４】そして、この実施例の検査装置においては、上記の撮像手段２として、図１及び図２に示すように、その装置本体２０の内周に沿って多数の光ファイバー等の導光体２１を装置本体２０の開口された先端側に向けて配すると共に、この導光体２１の内周側に皮膚等の被検査物１で反射された光学像を結像させる光学系２２と、この光学系２２によって結像された像を撮像するＣＣＤカメラ等の撮像素子２３とを設け、さらにこの装置本体２０の開口された先端部に偏光子２４が設けられたキャップ２５を装着させるようにした。
　　　【００１５】ここで、上記の装置本体２０の先端部に装着させるキャップ２５として、この実施例においては、図２に示すように、装置本体２０の開口された部分と対応する部分に１種類の偏光子２４ａを設けた第１キャップ２５ａと、図３に示すように、装置本体２０の開口された部分と対応する部分において、上記の導光体２１を通して被検査物１に照射される光を偏光させるリング状になった第１偏光子２４ｂと、この第１偏光子２４ｂの内周側において被検査物１で反射された光を偏光させる第２偏光子２４ｃとをそれぞれ偏光面の角度を異ならせて設けた第２キャップ２５ｂとを用いるようにした。
　　　【００１６】そして、この実施例の検査装置において、皮膚等の被検査物１の状態を検査するにあたっては、上記の撮像手段２における装置本体２０の先端部に上記の第１及び第２のキャップ２５ａ，２５ｂを順々に装着させるようにし、それぞれ光源（図示せず）からの光を装置本体２０内に設けられた上記の導光体２１を通して皮膚等の被検査物１に照射させ、皮膚等の被検査物１で反射された光学像を上記光学系２２によって結像させ、このように結像された像を上記の撮像素子２３によって撮像するようにした。
　　　【００１７】ここで、装置本体２０の先端部に第１キャップ２５ａを装着させた場合には、上記の導光体２１を通して導かれた光がこの第１キャップ２５ａにおける偏光子２４ａによって偏光され、このように偏光された光が被検査物１の表面及び内部において反射され、この反射された光が再度上記の偏光子２４ａに導かれ、この偏光子２４ａにより再度偏光されて光学系２２に導かれるようになった。
　　　【００１８】ここで、このように偏光子２４ａによって偏光された光が被検査物１で反射されて再度この偏光子２４ａに導かれた場合、被検査物１の表面で反射された光はそのままこの偏光子２４ａを通過するようになり、上記の光学系２２には被検査物１の表面で反射された光が多く導かれるようになった。
　　　【００１９】そして、このように第１キャップ２５ａにおける偏光子２４ａを通過して光学系２２に導かれた光学像をこの光学系２２によって結像させ、これを前記の撮像素子２３によって撮像すると、主として被検査物１の表面状態を表した画像が撮像されるようになった。
　　　【００２０】一方、装置本体２０の先端部に前記の第２キャップ２５ｂを装着させた場合には、上記の導光体２１を通して導かれた光がこの第２キャップ２５ｂにおける第１偏光子２４ｂによって偏光され、このように偏光された光が被検査物１の表面及び内部において反射され、この反射された光がこの第２キャップ２５ｂに設けられた第２偏光子２４ｃに導かれ、この第２偏光子２４ｃにより偏光されて光学系２２に導かれるようになった。
　　　【００２１】ここで、このように第１偏光子２４ｂによって偏光された光が被検査物１の表面及び内部において反射され、この反射された光が第２偏光子２４ｃに導かれると、この第２偏光子２４ｃの偏光面と上記の第１偏光子２４の偏光面との角度が異なるため、被検査物１の表面で反射された光の多くはこの第２偏光子２４ｃによって遮断され、被検査物１の内部で反射された光がこの第２偏光子２４ｃを通して上記光学系２２に導かれるようになった。
　　　【００２２】そして、このように第２キャップ２５ｂにおける第２偏光子２４ｃを通過して光学系２２に導かれた光学像をこの光学系２２により結像させ、これを撮像素子２３によって撮像すると、主として被検査物１の内部状態を表した画像が撮像されるようになった。」（第3頁3欄7行〜4欄29行）、
(2c）「【００２３】そして、この実施例の検査装置において、皮膚等の被検査物１の状態を検査するにあたっては、例えば、上記のように第１キャップ２５ａを装着させて撮像した被検査物１の表面状態の画像と、第２キャップ２５ｂを装着させて撮像した被検査物１の内部状態の画像とをそれぞれ画像処理装置５によって処理し、このように処理された画像情報を上記のように必要に応じて記憶手段３に記憶させると共に、表示手段４における画面４１を２つに分割させ、被検査物１の表面状態の画像と被検査物１の内部状態の画像とを同時に上記の画面４１上に表示させるようにした。
　　　【００２４】このようにすると、表示手段４における画面４１上において、皮膚等の被検査物１における表面状態と内部状態とを合わせて比較して検査することができ、皮膚等の被検査物１の状態を正確に検査できるようになった。
　　　【００２５】また、この実施例の検査装置において、例えば、寒気乾燥や紫外線による日焼け等によって荒れた皮膚等の被検査物１の状態を検査するにあたっては、上記のように撮像手段２における装置本体２０の先端部に第１及び第２のキャップ２５ａ，２５ｂを順々に装着させて、上記のような荒れた状態にある皮膚等の被検査物１の表面状態や内部状態を撮像すると共に、同様にして脇の下等の正常な状態にある皮膚等の被検査物１の表面状態や内部状態を撮像し、これらの撮像された画像をそれぞれ上記の画像処理装置５によって処理し、このように処理された各画像情報を上記のように必要に応じて記憶手段３に記憶させるようにした。
　　　【００２６】そして、上記の表示手段４における画面４１を２つに分割させ、上記の荒れた状態にある皮膚等の被検査物１の表面状態の画像と、正常な状態にある皮膚等の被検査物１の表面状態の画像とを同時に画面４１上に表示させたり、荒れた状態にある皮膚等の被検査物１の内部状態の画像と、正常な状態にある皮膚等の被検査物１の内部状態の画像とを同時に画面４１上に表示させたり、さらには上記の表示手段４における画面４１を４つに分割させ、荒れた状態にある皮膚等の被検査物１の表面状態及び内部状態の画像と、正常な状態にある皮膚等の被検査物１の表面状態及び内部状態の画像とを同時に画面４１上に表示させるようにした。
　　　【００２７】このようにすると、表示手段４における画面４１上において、荒れた状態にある皮膚等の被検査物１の画像と、正常な状態にある皮膚等の被検査物１の画像とを比較することができ、これによって荒れた状態にある皮膚等の被検査物１の状態をより正確に検査できるようになった。」（第3頁4欄30行〜第4頁5欄25行）、
が図面と共に記載されている。
　これらの記載から刊行物２には、「２種類の照明条件が選択可能に設定された皮膚表面撮像用の撮像手段と、前記撮像手段で撮像された皮膚表面拡大画像を表示するための表示手段とを有し、前記表示手段の画面が、２以上の領域に分割可能で、各分割画面に、前記撮像手段で条件を変えて撮像された２以上の皮膚表面拡大画像が静止画像としてそれぞれ表示できるようになっている検査装置。」が記載されているものと認められる。
　
(3）刊行物３：
(3a）「このような従来の体温データ管理装置においては、ケーブルが電子体温計と管理装置本体との間に介在するため、このケーブルが邪魔になって、使用者にとって非常に使いづらいくなるという問題点があった。また、病院のように複数の体温計からデータを収拾する様な場合は、体温計と管理装置本体とをケーブルで接続することができないため、体温値を１０キーで入力しなければならず、手間がかかるという問題点があった。【０００４】従って、本発明は、上述した課題に鑑みてなされたものであり、その目的とするところは、体温データを、電子体温計から管理装置本体へコードレスで自動的に転送することができる様な体温データ管理システムを提供することにある。」（第2頁1欄29〜42行）、
(3b）「上述の課題を解決し、目的を達成するために、本発明の体温データ管理システムは、電子体温計と、該電子体温計を装着可能にされた管理装置本体とを備える体温データ管理システムであって、前記電子体温計は、点滅することにより、計測した体温値を時系列的なデジタル信号として表示するためのＬＣＤドットを具備し、前記管理装置本体は、前記ＬＣＤドットの点滅状態を光学的に検出して前記デジタル信号を読み取る読み取り装置を具備することを特徴としている。」（第2頁1欄44行〜2欄3行）、
(3c）「図１は、体温データ管理システムに使用される専用電子体温計１２の構造を示した図である。【０００８】図示した様に、電子体温計１２は、先端部にセンサ１４を備えており、また、体温計本体１６の中央部には、計測した体温等を表示するためのＬＣＤ表示部１８を備えている。」（第2頁2欄14〜20行）、および
(3d）第１図、第２図、第５図、第６図
が記載されている。
　これらの記載から刊行物３には、「管理装置本体と表示部が設けられた電子体温計との組合せからなる体温データ管理システムにおいて、前記電子体温計と管理装置本体とのデータの送受をコードレスで行うこと」が記載されているものと認められる。
　
(4）刊行物４：
(4a）「第１図は本発明の健康管理機の一実施例の概要を示す外観図であり、第１図において、１は健康管理機の本体、２はデータをワイヤレスで送信するものに対する受信部、・・・、４は体重、体温、血圧、その他の４ポジションあるグラフィック表示の選択スイッチ、・・・。１５は４桁の日文字の数字表示と、・・・よりなる液晶表示器で、・・・測定データの数字表示に用いられる。１６は・・・のフルドットのグラフィック液晶表示器で、健康管理機に管理されているデータの日・週・月・年単位の表示をグラフィックに表示するためのものである。」（第2頁左上欄10行〜右上欄20行）、
(4b）「また第１図において、１８は個人の測定データを送信する能力のある体重計であり、１９は個人の測定データを送信する能力のある血圧計である。」（第2頁左下欄3〜6行）、
が第１図と共に記載されている。
　これらの記載から刊行物４には、「本体と測定結果表示部が設けられた体重計、血圧計、体温計、およびその他の測定機器との組合せからなる健康管理機において、前記各測定機器と本体とのデータの送受をワイヤレスで行うこと」が記載されているものと認められる。
　
イ．対比・判断
　そこで本願補正発明５と刊行物１に記載の発明（以下、「引用発明」という。）とを対比すると、引用発明においては、肌拡大カメラで撮像した肌拡大画像もしくはセンサーで測定された測定結果を表示手段に表示するものであるから、本体には、画像情報処理機能および測定情報処理機能が当然内蔵されているものとして把握すべきである。そして、引用発明における「美容アドバイザー」、「皮膚温度」、「皮膚水分量」、「肌拡大画像」、「肌状態」、「センサー」、「肌拡大カメラ」、「カラーモニター」、「本体」、および「肌状態測定装置」が、それぞれ本願補正発明５における「化粧品販売員」、「皮膚温度」、「皮膚表面水分量」、「皮膚表面拡大画像」、「皮膚状態」、「測定具」、「皮膚表面撮像用の拡大カメラ」、「画像表示手段」、「本体部」、および「皮膚状態評価装置」に相当するから、両者は、「化粧品販売員が、顧客の皮膚温度と皮膚表面水分量を測定するとともに皮膚表面拡大画像を観察して皮膚状態を評価する際に用いる装置であって、上記皮膚温度および皮膚表面水分量を測定する測定具と、皮膚表面撮像用の拡大カメラと、上記拡大カメラで撮像された皮膚表面拡大画像もしくは上記測定具で測定された測定結果を表示するための画像表示手段と、画像情報処理機能および測定情報処理機能が内蔵された本体部とを有し、上記画像表示手段の画面が、２以上の領域に分割可能で、各分割画面に、上記拡大カメラで条件を変えて撮像された２以上の皮膚表面拡大画像が静止画像としてそれぞれ表示できるようになっている皮膚状態評価装置。」の点で一致し、以下の点で相違する。
　相違点ａ：皮膚表面撮像用の拡大カメラが、本願補正発明５では、「２種類以上の照明条件が選択可能に設定された皮膚表面撮像用の拡大カメラ」であるのに対し、引用発明では、「無反射入力と、反射入力の２種類の入力方法が備えられた肌拡大カメラ」である点。
　相違点ｂ：測定具が、本願補正発明５では、「上記測定具が、本体部に対しコードレスで、それ自身に測定結果表示部が設けられている」のに対し、引用発明では、センサーの本体部への接続手段およびそれ自身の測定結果表示部については明記されていない点。
　相違点ｃ：拡大カメラで撮像された２以上の皮膚表面拡大画像が、本願補正発明５では、条件を変えて撮像されているのに対し、引用発明では、撮像の条件に関しては明記されていない点。
　
　そこで、上記相違点について検討する。
　相違点ａについて、
　上記相違点ａに係る「２種類以上の照明条件」の実施例に相当する記載として、本願明細書には、発明の詳細な説明の段落【0021】〜【0023】に、拡大カメラの照明に関して、偏光板の組合せを換えることによって、反射画像または無反射画像が得られることが記載されている。
　一方、引用発明の肌拡大カメラにおいても、反射入力と無反射入力の２種類の入力方法が選択可能に備えられており（上記摘記事項(1c)【0025】）、これによって本願補正発明５と同様に反射画像または無反射画像が得られるものと理解されるが、その具体的構成については明記されていない。
　ところで、刊行物２には、本願補正発明５と同様に偏光板の組合せを換えることによって、反射画像または無反射画像が得られる皮膚等の撮像手段が示されており（摘記事項(2b））、前記撮像手段で撮像された２以上の画像を、２以上の領域に分割された各分割画面にそれぞれ表示することが示されている。
　そして、刊行物２の撮像手段と引用発明の肌拡大カメラとは共に皮膚表面を撮像できるカメラとして共通するものであるから、引用発明の肌拡大カメラとして前記刊行物２に記載の皮膚等の撮像手段を用いることによって、相違点ａは容易になし得たものと認められる。
　相違点ｂについて、
　一般に、本体部と測定結果表示部が設けられた測定部との組合せからなる装置において、前記測定部と本体部とのデータの送受をコードレスで行うことは刊行物３または４に示されるように周知技術である。このとき、測定部は単独で用いることと共に、本体部の測定端末機器としても用いることができる。
　一方、本体と測定端末機器とからなる装置において、測定端末機器の使用の自由度を増すために測定端末機器を独立して使用できる測定機器とし、かつ、本体と前記測定機器とをコードレスでデータの送受ができるようにすることは刊行物３にも示されるように一般的な要求であると言える。
　そうすると、上記周知技術を引用発明のセンサーと本体とからなる装置に適用することによって、センサーを単独の測定器として用いるために、センサーに測定結果表示部を設け、かつ、センサーと本体とをコードレスでデータの送受を行うようにすることは、当業者が必要に応じて容易になし得たことにすぎない。
　相違点ｃについて、
　引用発明においても、２個所の皮膚表面画像は比較のために並べて表示されるのであって、また、撮像手段は条件を変えて撮像できるものであるから、前記２個所の皮膚表面画像を撮影する際に、比較のためにそれぞれの所望の条件で撮像することは、刊行物２（摘記事項(2c））にも示されるように必要に応じて適宜なし得たことにすぎない。
　
　以上のとおり、相違点ａないしｃはいずれも当業者が必要に応じて容易になし得た程度のものにすぎない。
　そして、本願明細書に記載された本願補正発明５の作用効果は、上記当業者が容易に成しえた構成によって自ずと得られるものであって格別のものとは認められない。　
　
　したがって、本願補正発明５は、刊行物１ないし２に記載された発明および周知技術に基づいて、当業者が容易に発明をすることができたものであるから、特許法第２９条第２項の規定により特許出願の際独立して特許を受けることができないものである。
　
ウ．むすび
　以上のとおり、本件補正は、特許法第１７条の２第５項で準用する同法第１２６条第４項の規定に違反するものであり、特許法第１５９条第１項で準用する特許法第５３条第１項の規定により却下されるべきものである。
　
３．本願発明について
３．１　本願発明
　平成１３年１１月５日付の手続補正は上記のとおり却下されたので、本願の請求項１ないし８に係る発明は、平成１３年５月１日付手続補正書の特許請求の範囲の請求項１ないし８に記載された事項により特定されるとおりのものであるところ、そのうち請求項５に係る発明（以下、同項記載の発明を「本願発明」という。）は、請求項５に記載された事項により特定される次のとおりのものである。
「【請求項５】　皮膚温度および皮膚表面水分量を測定する測定具と、２種類以上の照明条件が選択可能に設定された皮膚表面撮像用の拡大カメラと、上記拡大カメラで撮像された皮膚表面拡大画像もしくは上記測定具で測定された測定結果を表示するための画像表示手段と、画像情報処理機能および測定情報処理機能が内蔵された本体部とを有し、上記測定具が、本体部に対しコードレスで、それ自身に測定結果表示部が設けられているとともに、上記画像表示手段の画面が、２以上の領域に分割可能で、各分割画面に、上記拡大カメラで条件を変えて撮像された２以上の皮膚表面拡大画像が静止画像としてそれぞれ表示できるようになっていることを特徴とする皮膚状態評価装置。」
　
３．２　引用例
　原査定の拒絶の理由に引用された刊行物、および、その記載事項は、上記「２．３　ア．引用刊行物」に記載したとおりである。
　
３．３　対比・判断
　本願発明は、上記「２．３　イ．対比・判断」で検討した本願補正発明５から限定事項である「化粧品販売員が、顧客の皮膚温度と皮膚表面水分量を測定するとともに皮膚表面拡大画像を観察して皮膚状態を評価する際に用いる装置であって、」の構成を省いたものに相当する。
　そうすると、本願発明の構成要件を全て含みさらに他の構成要件を付加したものに相当する本願補正発明５が、上記「２．３　イ．」に記載したとおり、刊行物１ないし２および周知技術に基づいて、当業者が容易に発明をすることができたものであるから、本願発明も、同様の理由により、刊行物１ないし２および周知技術に基づいて、当業者が容易に発明をすることができたものである。
　
３．４　むすび
　以上のとおり、本願発明は、刊行物１ないし２に記載の発明および周知技術に基づいて、当業者が容易に発明をすることができたものであるから、特許法第２９条第２項の規定により特許を受けることができない。したがって、その他の請求項に係る発明についての判断をするまでもなく、この出願は拒絶されるべきものである。
　よって、結論のとおり審決する。